(57)【要約】【課題】隣接された収納ケースのうちの一方を引き出す際に、バーコードシールが剥がれないように形成する収納ケースを提供すること。【解決手段】収納ケースとしての薬剤ケース１０は、前壁部１１、一対の側壁部１２、１３、後壁部１４、底壁部１５を備えて上部が開口した筐体状に形成されている。一対の側壁部１２、１３の前方下部にはバーコードシール貼り付け用凹部１６を形成する。バーコードシール貼り付け用凹部には、バーコードシールを貼り付ける。バーコードシール貼り付け用凹部１６は、貼り付けるバーコードの長さ、幅、厚みより大きく形成して、バーコードシールを各側壁部１２、１３より外方に突出しないようにする。【選択図】図２
0003164777.tif 000002
【実用新案登録請求の範囲】
【請求項１】
前壁部、一対の側壁部、底壁部、後壁部を有して上部が開口された筐体状の収納ケースであって、
前記一対の側壁部のいずれか一方又は両方に、バーコードシールが貼り付けられるバーコードシール貼り付け用凹部が形成されていることを特徴とする収納ケース。
【考案の詳細な説明】
【技術分野】
【０００１】
本考案は、収納ケースに関し、さらに詳しくはバーコードシールが貼り付けられた収納ケースに関する。
【背景技術】
【０００２】
一般に、店頭にある商品を管理する場合には、記録されているバーコードを読み取ることが行われている。このバーコードを、例えば、薬剤を収納する薬剤ケースに適用する場合、バーコードを印刷したバーコードシールを薬剤ケースのいずれかの面に貼り付けることとなる。通常、薬剤ケースは、図１に示すように、調剤台１の上部ユニット２に複数段に配置された棚板５上に複数列に載置されている。各薬剤ケース１０は引き出し可能に配置されていることから、例えば、バーコードシールが薬剤ケース１０の側面に貼り付けられていると、貼り付けられたバーコードは、隣り合わせに並列された薬剤ケースに貼り付けられたバーコードシールに接触して剥がれてしまう虞があった。
【０００３】
このため、従来においては、ケースどうしの接触によりバーコードシールが剥がれることを防止する技術として、例えば、特許文献１が出願されている。これによると、図５に示すように、バーコードシール２０は商品ケース２１に貼着するケース用バーコード部２２と、商品に付される値札に貼着する値札用バーコード部２３とを有するとともに、両者の間にミシン目２４を設けている。また、値札用バーコード部２３は簡単に商品ケース２１に容易に剥離できるように再剥離性粘着剤が塗布されている。つまり、この技術は、商品ケース２１と値札のそれぞれに同じバーコードデータを記したバーコードシールを付すものであって、値札用バーコード部２３が商品ケース２１に貼着されていたことから、商品ケース２１どうしの接触で剥がれることを防止したものである。
【先行技術文献】
【特許文献】
【０００４】
【特許文献１】特開２０００−３５３２２４公報
【考案の概要】
【考案が解決しようとする課題】
【０００５】
しかし、従来の特許文献１の技術は、バーコードシール２０が商品ケース２１に貼着されているものの、値札用バーコード部２３の端面には、再剥離用粘着剤が塗布されて容易に剥がれ易い状態になっている。例えば商品ケース２１が薬剤ケースの場合、薬剤ケースは、隣り合わせの薬剤ケースと接触した状態で隣接されているから、隣接された薬剤ケースの一つが引き出された際に、隣どうしの薬剤ケースの側面が接触することになり、値札用バーコード部２３が接触して値札用バーコード部２３自体が剥がれてしまう虞があった。
【課題を解決するための手段】
【０００６】
本考案は、上述の課題を解決するものであり、隣り合うように配置された薬剤ケースの一方を摺動させても、剥がれないように形成する収納ケースを提供することを目的とするものであり、本考案に係る収納ケースは、以下のように構成するものである。すなわち、
請求項１に係る考案は、前壁部、一対の側壁部、底壁部、後壁部を有して上部が開口された筐体状の収納ケースであって、前記一対の側壁部のいずれか一方又は両方に、バーコードシールが貼り付けられるバーコードシール貼り付け用凹部が形成されていることを特徴とするものである。
【考案の効果】
【０００７】
本考案に係る収納ケースでは、収納ケースの側面には、側面から凹んだ位置に形成されているバーコードシール用貼り付け凹部にバーコードシールが貼り付けられているから、並列された収納ケースのうち１個の収納ケースを取り出す際、バーコードシールどうしを接触させることがない。そのため、バーコードシールを剥がすことなく取り出すことができる。
【図面の簡単な説明】
【０００８】
【図１】調剤台を示す斜視図である。
【図２】実施形態の薬剤ケースを示す斜視図である。
【図３】同側面図である。
【図４】図３におけるIV―IV断面図である
【図５】バーコードシールが貼り付けられた従来の収納ケースである。
【考案を実施するための形態】
【０００９】
次に、本考案における収納ケースの実施形態を図面に基づいて説明する。
【００１０】
以下に説明する実施形態の収納ケースでは、上部を開口した筐体状の薬剤ケースで説明するものとする。
【００１１】
図１に示すように、薬剤ケース１０は、調剤室に設置されている調剤台１の上部ユニット２に複数段に並列されている。調剤台１は複数の引き出しを備えた下部ユニット３を備え、下部ユニット３上に上部ユニット２が載置されている。上部ユニット２には、棚板５が複数段に配置されていて、各棚板５に薬剤ケース１０が隣り合わせの薬剤ケース１０に隣接されながら複数列に載置されている。それぞれの薬剤ケース１０は、引き出し可能に配置されている。
【００１２】
図２に示すように、実施形態における薬剤ケース１０は、前壁部１１、一対の側壁部１２、１３、後壁部１４、底壁部１５を備えて上部を開口する筐体状に形成されている。図１に示す薬剤ケース１０は、いわゆるクローズタイプであって、前壁部１１が、底面に対して浮き上がった上方位置に配置されている。
【００１３】
図１〜４に示すように一対の側壁部１２、１３の下部前方には、バーコードシール貼り付け用凹部１６が形成されている。実施形態のバーコードシール貼り付け用凹部１６は、バーコードシール１７の長さと幅より大きく矩形状に形成され、更には、バーコードシール１７の厚みより深く形成され、貼り付けられたバーコードシール１７が各側壁部１２、１３の表面より飛び出すことのないようにしている。
【００１４】
このバーコードシール貼り付け用凹部１６は、バーコードシール１７の形状に合わせて形成すればよく、また、一対の側壁部１２、１３の下部ではなく上部に形成してもよい。いずれの位置に貼り付けたとしても、図示しないバーコートスキャナで読み取り易いように貼り付ければよい。
【００１５】
なお、このバーコードシール貼り付け用凹部１６は、上述のクローズタイプの薬剤ケース１０に限定するものではなく、前壁部１１の上面が、側壁部１２、１３の上面より下方の位置にあり、調剤台１の棚板５上に載置した際、上方の棚板５との間に空間部を有するオープンタイプの薬剤ケースにも形成することができる。
【００１６】
上述の薬剤ケース１０において、バーコードシール１７を、一対の側壁部１２、１３に形成されたバーコードシール貼り付け用凹部１６に貼り付ける。バーコードシール１７は、長さ方向幅方向及び厚み方向とも、バーコード貼り付け用凹部１６内に収まることから、調剤台１の棚板５上に隣り合うように並列された薬剤ケース１０どうしのバーコードシール１７と接触することはない。つまり、調剤台１の棚板５上に複数列に載置された薬剤ケース１０の一つを引き出す際、薬剤ケース１０が隣り合う薬剤ケース１０と接触状態に配置されていても、バーコードシール１７は、隣り合う薬剤ケース１０に貼着されたバーコードシール１７と接触しないから、それによってバーコードシール１７が剥れることはない。
【００１７】
薬剤ケース１０に収納されている薬剤を取り出す調剤者は、例えば、図示しないバーコードスキャナで、薬剤ケース１０の一対の側壁部１２、１３に貼り付けられたいずれかのバーコードを読み取ることになる。
【００１８】
なお、本考案の収納ケースでは、薬剤ケースに限定することなく、筐体状の収納ケースであって、隣り合わせに摺動可能に並列されているものであれば、薬剤以外の収納ケースにバーコードシール貼り付け用凹部を形成することができる。
【符号の説明】
【００１９】
１、調剤台
２、上部ユニット
５、棚板
１０、薬剤ケース
１１、前壁部
１２、１３、側壁部
１４、後壁部
１５、底壁部
１６、バーコードシール貼り付け用凹部
１７、バーコードシール
【図１】
0003164777.tif 000003
【図２】
0003164777.tif 000004
【図３】
0003164777.tif 000005
【図４】
0003164777.tif 000006
【図５】
0003164777.tif 000007